(57)【特許請求の範囲】
【請求項１】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くし、
ドレン容器の排水溝が、電源を本体に供給する電源線に対して反対側に設けられたことを特徴とする手乾燥装置。
【請求項２】
取手の位置は、ドレン容器の水が溜まった際前記取手よりも手前側が重くなるように設けたことを特徴とする請求項１記載の手乾燥装置。
【請求項３】
ドレン容器の底面を、手前側に傾斜させたことを特徴とする請求項１または２記載の手乾燥装置。
【請求項４】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くし、
ドレン容器の一側面に、排水溝を設け、
ドレン容器に、乾燥室から排水した水を導入するように流入口を有したカバーを設け、流入口は、排水溝と同一方向に設けたことを特徴とする手乾燥装置。
【請求項５】
排水溝は、取手より手前側に設けたことを特徴とする請求項４記載の手乾燥装置。
【請求項６】
フィルターを、カバーに設けたことを特徴とする請求項４または５記載の手乾燥装置。
【請求項７】
フィルターはカバーの底面とほぼ同一面としたことを特徴とする請求項６記載の手乾燥装置。
【請求項８】
カバーの排水溝側が、開閉機構を設けたことを特徴とする請求項４記載の手乾燥装置。
【請求項９】
外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くし、
ドレン容器の排水溝と流入口が、電源を本体に供給する電源線に対して反対側に設けられたことを特徴とする手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、ドレン容器に溜まった水を排水する際、こぼれて排水すべきところに排水できないという課題がある。
【０００５】
本発明は、このような従来の課題を解決するものであり、ドレン容器に溜まった水を排水する際、こぼれずに容易に排水できる手乾燥装置を提供することを目的とする。
【課題を解決するための手段】
【０００６】
本発明に係る手乾燥装置は、上記目的を達成するために、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くしたものである。
【０００７】
また、他の手段は、取手の位置は、ドレン容器の水が溜まった際前記取手よりも手前側が重くなるように設けたものである。
【０００８】
また、他の手段は、ドレン容器の底面を、手前側に傾斜させたものである。
【０００９】
また、他の手段は、ドレン容器の一側面に、排水溝を設けたものである。
【００１０】
また、他の手段は、排水溝は、取手より手前側に設けたものである。
【００１１】
また、他の手段は、ドレン容器に、乾燥室から排水した水を導入するように流入口を有したカバーを設け、流入口は、排水溝と同一方向に設けたものである。
【００１２】
また、他の手段は、フィルターを、カバーに設けたものである。
【００１３】
また、他の手段は、フィルターはカバーの底面とほぼ同一面としたものである。
【００１４】
また、他の手段は、カバーの排水溝側が、開閉機構を設けたものである。
【００１５】
また、他の手段は、ドレン容器の排水溝と流入口が、電源を本体に供給する電源線に対して反対側に設けたものである。
【発明の効果】
【００１６】
本発明によれば、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くしたことにより、ドレン容器に溜まった水を排水する際こぼれずに容易に排水できるという効果のある手乾燥装置を提供することができる。
【００１７】
また、取手の位置は、ドレン容器の水が溜まった際前記取手よりも手前側が重くなるように設けたことにより、ドレン容器を引き抜いた際に、ドレン容器が傾くことなくドレン容器から水がこぼれることがないという効果のある手乾燥装置を提供することができる。
【００１８】
また、ドレン容器の底面を、手前側に傾斜させたことにより、ドレン容器を引き抜いた際に、ドレン容器がより傾くことなく安定してドレン容器から水がこぼれることがないという効果のある手乾燥装置を提供することができる。
【００１９】
また、ドレン容器の一側面に、排水溝を設けたことにより、容易にドレン容器の水を排水することができるという効果のある手乾燥装置を提供することができる。
【００２０】
また、排水溝は、取手より手前側に設けたことにより、安定、かつ、容易にドレン容器の水を排水することができるという効果のある手乾燥装置を提供することができる。
【００２１】
また、ドレン容器に、乾燥室から排水した水を導入するように流入口を有したカバーを設け、流入口は、排水溝と同一方向に設けたことにより、安定、かつ、容易に確実にドレン容器の水を排水することができるという効果のある手乾燥装置を提供することができる。
【００２２】
また、フィルターを、カバーに設けたことにより、本体への埃や水の侵入を防ぐとともに、フィルターの清掃性を向上することができるという効果のある手乾燥装置を提供することができる。
【００２３】
また、フィルターはカバーの底面とほぼ同一面としたことにより、フィルターの清掃性を更に向上することができるという効果のある手乾燥装置を提供することができる。
【００２４】
また、カバーの排水溝側が、開閉機構を設けたことにより、短時間に、確実に、ドレン容器の水を排水することができるという効果のある手乾燥装置を提供することができる。
【００２５】
また、ドレン容器の排水溝と流入口が、電源を本体に供給する電源線に対して反対側に設けたことにより、ドレン容器に溜まった水が溢れた時も、充電部に水がかかることなく、安全性を向上することができるという効果のある手乾燥装置を提供することができる。
【図面の簡単な説明】
【００２６】
【図１】本発明の実施の形態１の手乾燥装置の内部を示す構成図
【図２】同手乾燥装置の水受け部を示す斜視図
【図３】同手乾燥装置の水受け部を示す部分斜視図
【図４】同手乾燥装置の水受け部の底面図
【図５】同手乾燥装置の水受け部とカバーとの斜視図
【図６】同手乾燥装置の電源線と水受け部との背面からの斜視図
【発明を実施するための形態】
【００２７】
本発明に係る手乾燥装置は、外部に向かって開口した挿入口から手を抜き差しできる乾燥室と、前記乾燥室の下部にドレン容器を設けた水受け部と、前記乾燥室に向けて空気を送出するノズル部と、前記ノズル部から空気を送出するファンモータと、ファンモータの手前側にフィルターとを備えた手乾燥装置であって、前記ドレン容器の底面に取手を設け、前記取手側より前方側を重くしたこととしたものであり、水がドレン容器に溜まっても、奥側に傾くことなく前記ドレン容器を引き抜くという作用を有する。
【００２８】
また、取手の位置は、ドレン容器の水が溜まった際前記取手よりも手前側が重くなるように設けたこととしたものであり、ドレン容器に溜まった水が、前記ドレン容器の前面と取手の間が絶えず重い状態で、ドレン容器を引き抜くという作用を有する。
【００２９】
また、ドレン容器の底面を、手前側に傾斜させたこととしたものであり、ドレン容器に溜まった水が、傾斜面を伝わって重心に流れ、前記ドレン容器の前面と取手の間が絶えず重い状態で、ドレン容器を引き抜くという作用を有する。
【００３０】
また、ドレン容器の一側面に、排水溝を設けこととしたものであり、ドレン容器に溜まった水が、一方向に傾けて、排水溝から排水するという作用を有する。
【００３１】
また、排水溝は、取手より手前側に設けたこととしたものであり、取手を手前側に傾けて、排水溝から溜まった水を排水するという作用を有する。
【００３２】
また、ドレン容器に、乾燥室から排水した水を導入するように流入口を有したカバーを設け、流入口は、排水溝と同一方向に設けたこととしたものであり、手から剥離した水が流入口に流れ込み、取手を手前側に傾けて、一方向に傾けて、排水溝から排水するという作用を有する。
【００３３】
また、フィルターを、カバーに設けたこととしたものであり、本体の吸込口にフィルターが配置されるようにカバーに設けるという作用を有する。
【００３４】
また、フィルターはカバーの底面とほぼ同一面としたとしたものであり、本体への埃の侵入側が底面とほぼ同一面となるようにカバーに設けるという作用を有する。
【００３５】
また、カバーの排水溝側が、開閉機構を設けたこととしたものであり、排水時に、排水溝が大きく開口するようにカバーに開閉機構を設けるという作用を有する。
【００３６】
また、ドレン容器の排水溝と流入口が、電源を本体に供給する電源線に対して反対側に設けたこととしたものであり、ドレン容器の排水溝と流入口が、電源を本体に供給する電源線に対して反対側に設けるという作用を有する。
【００３７】
以下、本発明の実施の形態について、図面を参照しながら説明する。
【００３８】
（実施の形態１）
図１〜図６に示すように、外部１に向かって開口２した挿入口３から手を抜き差しできる乾燥室４と、乾燥室４の下部５にドレン容器６を設けた水受け部７と、乾燥室４に向けて空気を送出するノズル部８と、ノズル部８から空気を送出するファンモータ９と、ファンモータ９の手前側１０（図示せず）にフィルター１１（図示せず）とを備えた手乾燥装置であって、ドレン容器６の底面１２に取手１３を設け、取手１３側より前方側１４を重くした構成とする。
【００３９】
上記構成により、水がドレン容器６に溜まっても、奥側１５に傾くことなくドレン容器６を引き抜く。
【００４０】
このように、ドレン容器に溜まった水を排水する際こぼれずに容易に排水することとなる。
【００４１】
また、取手１３の位置は、ドレン容器６の水が溜まった際取手１３よりも手前側１０が重くなるように設けた構成とする。
【００４２】
上記構成により、ドレン容器６に溜まった水が、ドレン容器６の前面１６と取手１３の間が絶えず重い状態で、ドレン容器６を引き抜く。
【００４３】
このように、ドレン容器を引き抜いた際に、ドレン容器が傾くことなくドレン容器から水がこぼれることがないこととなる。
【００４４】
また、ドレン容器６の底面１２を、手前側１０に傾斜１７させた構成とする。
【００４５】
上記構成により、ドレン容器６に溜まった水が、傾斜１７させた傾斜面１８を伝わって重心に流れ、ドレン容器６の前面１６と取手１３の間が絶えず重い状態で、ドレン容器６を引き抜く。
【００４６】
このように、ドレン容器を引き抜いた際に、ドレン容器がより傾くことなく安定してドレン容器から水がこぼれることがないこととなる。
【００４７】
また、ドレン容器６の一側面１９に、排水溝２０を設けた構成とする。
【００４８】
上記構成により、ドレン容器６に溜まった水が、一方向に傾けて、排水溝２０から排水する。
【００４９】
このように、容易にドレン容器の水を排水することができることとなる。
【００５０】
また、排水溝２０は、取手１３より手前側１０に設けた構成とする。
【００５１】
上記構成により、取手１３を手前側１０に傾けて、排水溝２０から溜まった水を排水する。
【００５２】
このように、安定、かつ、容易にドレン容器の水を排水することができることとなる。
【００５３】
また、ドレン容器６に、乾燥室４から排水した水を導入するように流入口２１を有したカバー２２を設け、流入口２１は、排水溝２０と同一方向２３に設けた構成とする。
【００５４】
上記構成により、手から剥離した水が流入口２１に流れ込み、取手１３を手前側１０に傾けて、同一方向２３に傾けて、排水溝２０から排水する。
【００５５】
このように、安定、かつ、容易に確実にドレン容器の水を排水することができることとなる。
【００５６】
また、フィルター１１を、カバー２２に設けた構成とする。
【００５７】
上記構成により、本体の外部１から空気が吸い込まれる吸込口にフィルター１１が配置されるようにカバー２２を設ける。
【００５８】
このように、本体への埃や水の侵入を防ぐとともに、フィルターの清掃性を向上することができることとなる。
【００５９】
また、フィルター１１はカバー２２の底面１２とほぼ同一面とした構成とする。
【００６０】
上記構成により、本体への埃の侵入側が底面１２とほぼ同一面となるようにカバー２２に設ける。
【００６１】
このように、フィルターの清掃性を更に向上することができることとなる。
【００６２】
また、カバー２２の排水溝２０側が、開閉機構２４を設けた構成とする。
【００６３】
上記構成により、排水時に、排水溝２０が大きく開口するようにカバー２２に開閉機構２４を設ける。
【００６４】
このように、短時間に、確実に、ドレン容器の水を排水することができることとなる。
【００６５】
また、ドレン容器６の排水溝２０と流入口２１が、電源を本体である手乾燥装置に供給する電源線２５に対して反対側に設けた構成とする。
【００６６】
上記構成により、ドレン容器６の排水溝２０と流入口２１が、電源を本体に供給する電源線２５に対して反対側に設ける。
【００６７】
このように、ドレン容器に溜まった水が溢れた時も、充電部に水がかかることなく、安全性を向上することができることとなる。
【産業上の利用可能性】
【００６８】
本発明の手乾燥装置は、レストランやホテルなどの洗面所やトイレに設置され、また病院や手術室や調理場においても適用される。
【符号の説明】
【００６９】
１    外部
２    開口
３    挿入口
４    乾燥室
５    下部
６    ドレン容器
７    水受け部
８    ノズル部
９    ファンモータ
１０  手前側
１１  フィルター
１２  底面
１３  取手
１４  前方側
１５  奥側
１６  前面
１７  傾斜
１８  傾斜面
１９  一側面
２０  排水溝
２１  流入口
２２  カバー
２３  同一方向
２４  開閉機構
２５  電源線
【図１】
0005585018.tif 000002
【図２】
0005585018.tif 000003
【図３】
0005585018.tif 000004
【図４】
0005585018.tif 000005
【図５】
0005585018.tif 000006
【図６】
0005585018.tif 000007